(57)【要約】【課題】  木材を加工することで発生するオガ屑及びカンナ屑等を燃焼するための焼却炉であって、炉本体へ投入されたオガ屑及びカンナ屑の燃焼状態を見ることが出来る覗き窓の提供。【解決手段】  炉本体１から外方向へ延びる筒９を設けると共に筒９の先端には燃焼室が見えるように透明ガラス１１を嵌め、そして筒９の途中にはエアー管１０を接続して該エアー管１０からは筒内へエアーを供給し、筒内のエアーが炉本体１の燃焼室へ流れるようにしている。【選択図】    図１
2005241163.tif 000002
【特許請求の範囲】
【請求項１】
木材を加工することで発生するオガ屑及びカンナ屑等を燃焼するための焼却炉において、炉本体から外方向へ延びる筒を設けると共に筒の先端には燃焼室が見えるようにガラス等を嵌め、そして筒の途中にはエアー管を接続して該エアー管からは筒内へエアーを供給し、筒内のエアーが炉本体の燃焼室へ流れるようにしたことを特徴とする木工用焼却炉の覗き窓。
【請求項２】
上記筒の周囲に複数本のエアー管を接続した請求項１記載の木工用焼却炉の覗き窓。
【発明の詳細な説明】
【技術分野】
【０００１】
本発明は、木材を加工する際に発生するオガ屑やカンナ屑等を効率よく焼却する為の焼却炉に設けられる覗き窓に関するものである。
【背景技術】
【０００２】
ゴミの焼却炉にも色々な形態が存在しているが、対象となるゴミによって焼却炉の構造や形態もおのずと違ってくる。本発明が対象とするゴミは木材を加工する際に発生するオガ屑やカンナ屑などであり、大量に発生するこれらオガ屑やカンナ屑を効率よく焼却する必要がある。
【０００３】
従来では、オガ屑やカンナ屑専用の焼却炉は存在せず、一般ゴミ用の焼却炉が用いられている。オガ屑やカンナ屑は生ゴミなどが混入している一般ゴミに比較して燃焼し易いが、しかし燃え易いこれらのゴミも山のように固まってしまうならば、不完全燃焼してダイオキシンが発生する。
【０００４】
ダイオキシンは物の不完全燃焼に伴って非意図的に生成される有害な有機塩素化合物であり、平成9年2月には世界保健機構(ＷＨＯ)でも人に対して発ガン性があると正式に規定されている。我が国のダイオキシンの総排出量の約８〜９割はゴミの焼却施設から排出されていることから、ゴミの焼却に伴うダイオキシンの排出を削減することが急務である。
【０００５】
そこで、ゴミの焼却炉から排出されるダイオキシンの量を減らす為には、ゴミを高温で完全燃焼すること、燃焼ガスを速やかに冷却すること、そして排ガス処理を徹底することが必要である。その為に、燃焼ガスが８００℃以上の状態で燃焼出来る燃焼室を設置すること。燃焼ガスが８００℃以上の温度のまま燃焼室に2秒以上滞留出来る燃焼室を持つこと。そしてこの燃焼室は外気と遮断されていること。さらに必要な空気を供給出来る設備を設けた燃焼室を備えることが重要である。
【０００６】
このような条件はオガ屑やカンナ屑を焼却する為の焼却炉に対しても必要な要件であり、完全燃焼を行う為には適量のオガ屑やカンナ屑を燃焼室へ送ることが必要である。
【特許文献１】特開２００１−９９４１２号に係る「ゴミの焼却炉」
【発明の開示】
【発明が解決しようとする課題】
【０００７】
このように、一般ゴミを焼却する焼却炉を用いてオガ屑やカンナ屑等を燃焼するには上記のごとき問題がある。本発明が解決しようとする課題はこの問題点であり、炉内の燃焼状態が分かる覗き窓を設けた木工用焼却炉を提供する。
【課題を解決するための手段】
【０００８】
本発明の木工用焼却炉は覗き窓を備えていて、炉内の燃焼状態が該覗き窓から見ることが出来る。従来の焼却炉にも覗き窓は設けられているが、その位置は炉本体の側面である。しかし、覗き窓を炉本体の側面に設けたのでは、燃焼時に発生するススが付着して見えなくなることから、本発明では炉本体から筒を延ばした覗き窓を設けている。
【０００９】
勿論、筒の先端にはアクリル樹脂などから成る透明板が取付けられ、筒先端の透明板を通して炉内を見ることが出来る。そして、上記筒にはエアー管が接続し、該筒内に炎や燃焼熱が侵入しない構造と成っている。すなわち、筒内へ供給されるエアーは燃焼室側へ流れるようにし、燃焼に伴って発生するススの侵入もなくて先端の透明板にススが付着することもない。
【発明の効果】
【００１０】
本発明の木工用焼却炉には覗き窓が設けられている。従って、該覗き窓から炉内の燃焼状態を見ることが出来、不完全燃焼を防止してダイオキシンの発生を阻止できる。すなわち、燃焼バナーの火力を調整し、供給エアーの量を調整して完全燃焼を行い得る。そして、該覗き窓は炉本体から外方向へ延びる筒をもって構成され、筒にはエアー管が接続されて筒から炉本体の燃焼室へエアーを流す構造としている為に、炎や燃焼熱が筒に侵入することはなく、先端の透明板が燃焼熱にて損傷しない。又、筒先端の覗き窓にはススが付着して見えなくなることもない。
【実施例】
【００１１】
図１は本発明に係る木工用焼却炉を示す実施例であり、同図の１は炉本体、２は覗き窓、３はバーナー、４は煙突、５は灰出し部を夫々表している。炉本体１は筒型を成し、周りには水槽が設けられて過度に高温にならないように保護している。勿論、炉本体１は耐火煉瓦を使用して構成し、冷却用の水槽を備えない構造にすることは自由である。上記バーナーの燃料としては灯油が用いられ、炉本体１の燃焼室に投入されるオガ屑やカンナ屑はバーナーの熱で燃焼する。
【００１２】
炉本体１の上部には温度センサー６が取付けられ、炉内温度が低下しないようにバーナー３の火力を調整することが出来、炉本体１の上端から上方へ延びて起立する煙突４からは黒い煙が出ないようにしなくてはならない。もし、煙突４から黒い煙が出るようであれば、不完全燃焼状態にある為にバーナー３の火力を高めたり、供給エアーの量を調整したり、又は投入するオガ屑やカンナ屑の量を調整しなくてはならない。
【００１３】
一方、煙突４に取付けてある別の補助バーナー７を点火して不完全燃焼状態にあるガスを該補助バーナー７にて完全に燃焼する。上記温度センサー６及び煙突４からのガスの状態を感知して、補助バーナー７が自動点火するように制御することは可能である。同図の８は蒸気排出塔であって、炉本体１の周りに設けている冷却槽に連通し、燃焼熱にて加熱された冷却槽内の熱湯から発生する蒸気が排出される。
【００１４】
ところで、本発明の木工用焼却炉の炉本体１には覗き窓２を設けている。しかし、従来の覗き窓とはその形態を異にし、炉本体１から筒９を斜め上方へ延ばし、筒９の先端から炉本体１の燃焼室を覗くことが出来るように成っている。従って、筒先端にはアクリル製の透明ガラスが嵌まっていて、該透明ガラスを通して燃焼室を見ることが出来るが、この透明ガラスにススが付着しないように、又燃焼熱によって透明ガラスが損傷しないように、燃焼室の熱風が筒内へ侵入することを阻止している。
【００１５】
すなわち、筒９の途中にはエアー管１０が接続していて、このエアー管１０から筒９へエアーを供給し、筒内へ入ったエアーは炉本体１の燃焼室側へ流れることが出来る。従って、この筒内のエアーの流れによって、筒内へ炎や熱風が侵入することはなく、又透明ガラス１１にススが付着して曇ることもない。そして、このエアーは筒９への熱風の侵入を阻止するだけでなく、オガ屑やカンナ屑を効率よく燃焼させるに必要な空気の供給として利用され、強制的な供給が行われる。
【００１６】
筒９へのエアー供給は、別に設けているファン(送風機)によって行われる。図２に示しているように、筒９に接続されるエアー管１０は１本に限らず、複数本とすることで筒内全体にエアーの流れをもたらす方が好ましい。ところで、本発明の焼却炉本体１へのオガ屑やカンナ屑の供給はエアーによって行われる。図３は木工場にて発生したオガ屑及びカンナ屑を収集し、これを上記焼却炉へ導いて焼却する為の一連の装置を表している。勿論、本発明は焼却炉本体１に設けている覗き窓２に特徴を有すものであり、該焼却炉へのオガ屑及びカンナ屑の搬送手段、木工機械から発生するオガ屑及びカンナ屑の収集装置などは限定しない。
【００１７】
同図において機械は各種木工加工機械であり、該機械から発生するオガ屑及びカンナ屑は吸込みパイプ１２，１２へ吸込まれて搬送管１３へ入る。搬送管１３はサイロ１４の上端に設けているサイクロン１５へ入り、該サイクロン１５にてエアーと分離されたオガ屑及びカンナ屑はサイロ１４に蓄積する。ここで、搬送管１３の途中には送風機１６が設けられて、該送風機１６が作動してエアーを吸込みパイプ１２からサイクロン１５へ送ることが出来、該エアーと共にオガ屑及びカンナ屑が搬送される。
【００１８】
上記サイロ１４にはサイクロン１５にてエアーと分離したオガ屑及びカンナ屑が堆積し、該オガ屑及びカンナ屑はサイロ１４の下から一定量が押出される。そして、搬送管１９をエアーと共に流れて燃焼炉に付設しているサイクロン１７へ入る。上記サイロ１４の底部にはスクリューが取付けられていて、該スクリューが回転することで搬送管１９へ一定量のオガ屑及びカンナ屑が送られる。この場合、搬送管１９を流れるエアーは点線で示しているように、サイクロン１７の排気がサイロ１４へ戻されて再利用される。
【００１９】
そして、サイクロン１７に入ったオガ屑及びカンナ屑は前記図１に示す投入筒１８を通過して焼却炉の炉本体１へ投入される。焼却炉の炉本体１を冷却する為の水槽へは水道管が接続し、燃焼熱で加熱されたお湯は他の用途に給湯される。
【図面の簡単な説明】
【００２０】
【図１】本発明に係る木工用焼却炉を示す実施例。
【図２】覗き窓の具体例。
【図３】木工機械から発生するオガ屑及びカンナ屑を搬送して焼却する一連の装置。
【符号の説明】
【００２１】
１  炉本体
２  覗き窓
３  バーナー
４  煙突
５  灰出し部
６  温度センサー
７  補助バーナー
８  蒸気排出塔
９  筒
10  エアー管
11  透明ガラス
12  吸込みパイプ
13  搬送管
14  サイロ
15  サイクロン
16  送風機
17  サイクロン
18  投入筒
19  搬送管
【図１】
2005241163.tif 000003
【図２】
2005241163.tif 000004
【図３】
2005241163.tif 000005